(57)【特許請求の範囲】
【請求項１】
底板の中心部に記録媒体ディスクを重畳積層する中央突出軸及び底板の外周に筒状蓋と嵌合するつば部を有する重畳台と、記録媒体ディスクを覆う筒状蓋とよりなる記録媒体ディスク包装容器であって、つば部の外側又は内側には複数個の突起、筒状蓋の下端には筒状蓋の回転によって前記突起と嵌合係止する突起受けを設け、前記突起受けは垂直切欠部と水平切欠部とからなり、かつ水平切欠部にストッパーを備えてなり、前記重畳台の底板は収納される記録媒体ディスクの中央非記録面の径と同じかやや短い径の円形の上げ底であり、前記筒状蓋の天板を筒状蓋の頂部より低い位置に設けて前記天板の外周に環状突起部を形成し、前記重畳台の底板の裏面に複数個の環状リブを備え、該環状リブの最外周と前記環状突起部とを嵌合させるようにしたことを特徴とする記録媒体ディスク包装容器。
【発明の詳細な説明】
【０００１】
【発明の属する技術分野】
本発明は、光ディスク、磁気ディスク等の記録媒体ディスクの包装容器に関するものである。
【０００２】
【従来の技術】
電気信号で記された情報を記録する媒体には、ＩＣメモリー、磁気ディスク、光ディスク等の記録媒体が用いられる。これらの記録媒体のうち、光ディスクや磁気ディスクなどは、透明プラスチック製ディスクの表面に情報を記録するコーティング層を形成したものであり、可搬性に優れている。これらは、ＣＤ、ＤＶＤなどのようにディスク自体が裸のものと、ＦＤ、ＭＯなどのようにディスクがプラスチックケースにセットされた一体型のものがある。前者は、一枚ずつプラスチック包装容器に収納したものが市販されているが、大ユーザー向けにはディスクを数枚ないし数十枚重畳して収納する包装容器が便利である。
【０００３】
このような包装容器として、例えば実開昭６１−７４，５８６号公報には、ケース底板部材とケース蓋部材からなり、ケース底板部材の中心部に設けた軸に多数枚の平面状磁気記録媒体を挿通、積層し、ケース蓋部材により平面状磁気記録媒体を覆って収納した平面状磁気記録媒体包装容器が提案されている。ケース底板部材とケース蓋部材とは、ケース蓋部材の開口部をケース底板部材のつば部を嵌合させることにより組み立てられる。しかし、ケース蓋部材の離脱を防止するため、包装されたものをゴム紐を掛けて固定する必要があった。
【０００４】
また、実開平４−８４，１８９号公報には、図９に示すように、記録媒体を重畳積層する中央突出軸を有する重畳台と該記録媒体を覆う筒状蓋とを備えた磁気記録媒体包装容器において、筒状蓋の下端外周に水平方向に張り出した複数個の突出片、重畳台の底板の周縁部には筒状蓋の回転によって前記突出片を嵌合係止する水平方向への突出片受けを設けた磁気記録媒体包装容器が提案されている。
【０００５】
しかしながら、この磁気記録媒体包装容器は、重畳台と筒状蓋とを装着する手段として、重畳台の底板を水平方向に突出させて周縁部を形成し、これが水平方向の突出片受けを設けているため、例えばＣＤ包装容器ではその底部径が筒状蓋径よりも約３５mmも大きいものとなり、これを段ボール箱に収納したり、商品台に陳列したりする際にデッドスペースが生じていた。また、この周縁部は突出しているので衝撃などで壊れやすく、さらに余分な材料が必要で製作費用を増加させる要因ともなっていた。
【０００６】
【発明が解決しようとする課題】
したがって、本発明の目的は、梱包などの際にデッドスペースを生じることがないコンパンクトで、強度もあり、かつ製作費用も低減できる記録媒体ディスク用の包装容器を提供することにある。
【０００７】
すなわち、本発明は、底板の中心部に記録媒体ディスクを重畳積層する中央突出軸及び底板の外周に筒状蓋と嵌合するつば部を有する重畳台と、記録媒体ディスクを覆う筒状蓋とよりなる記録媒体ディスク包装容器であって、つば部の外側又は内側には複数個の突起、筒状蓋の下端には筒状蓋の回転によって前記突起と嵌合係止する突起受けを設け、前記突起受けは垂直切欠部と水平切欠部とからなり、かつ水平切欠部にストッパーを備えてなり、前記重畳台の底板は収納される記録媒体ディスクの中央非記録面の径と同じかやや短い径の円形の上げ底であり、前記筒状蓋の天板を筒状蓋の頂部より低い位置に設けて前記天板の外周に環状突起部を形成し、前記重畳台の底板の裏面に複数個の環状リブを備え、該環状リブの最外周と前記環状突起部とを嵌合させるようにしたことを特徴とする記録媒体ディスク包装容器である。
【００１２】
【発明の実施の態様】
以下、図面に基づき本発明の記録媒体ディスク包装容器を具体的に説明する。なお、図面に示す記録媒体ディスク包装容器は、重畳台のつば部の外径が筒状蓋の内径より小さいもの、すなわち重畳台のつば部が筒状蓋に嵌入する形式であって、つば部の外側に複数個の突起を設け、筒状蓋の下端に前記突起を嵌合係止する突起受けを設けた例を示すものであるが、本発明は図面に示すものに限定されるものではない。
【００１３】
図１、図２及び図３は、本発明の記録媒体ディスク包装容器における重畳台の平面図、正面図及び底面図を示し、図４は、図１のＡ−Ａ線における断面図を示す。図８は、本発明の記録媒体ディスク包装容器の一例を、筒状蓋と重畳台とを離脱させた状態で示す斜視図である。
【００１４】
重畳台１の底板１ａは、その中心部には記録媒体ディスク（図示せず）を重畳積層する中央突出軸２を有し、その外周には筒状蓋８に嵌入するつば部３を有する。つば部３は、底板１ａの外周を高さ１０〜２５mm程度の短円筒にしたものがよい。
【００１５】
つば部３の外側には複数個の突起４を設ける。この突起４は、通常３〜４個を底板１ａに等間隔で設けることがよく、突起４の高さは、筒状蓋８の下端部の肉厚と同じかやや低い程度でよい。突起４は、筒状蓋８に設けられた突起受け１１に嵌合係止し、筒状蓋８を重畳台１に着脱自在に装着する。
【００１６】
図１及び図４に示すように、底板１ａの中央突出軸２の周囲を、記録媒体ディスクの中央非記録面の径と同じかやや短い径の円形の上げ底５とすることが好ましい。上げ底５の高さは、底板１ａ面から１〜３mm程度でよい。底板１ａに上げ底５を備えることにより、記録媒体ディスクを重畳台１に重畳積層しても、その記録面が底板１ａに接触して傷つくことがない。
【００１７】
また、図３及び図４に示すように、重畳台１の底板１ａの裏面には、複数個の環状リブ６Ａ、６Ｂ、６Ｃなどを備えることが好ましい。このような環状リブを備えることにより、記録媒体ディスク包装容器が滑りにくくなり、底板１ａを補強する効果もある。特に、最外周の環状リブ６Ａの径を筒状蓋８の頂部径よりやや大きくか又は小さくし、環状リブ６Ａと図６に示す環状突起部１５とが嵌合できるように構成することが好ましい。このように構成すると、記録媒体ディスク包装容器を安定に積み重ねることができる。
【００１８】
更に、図２に示すように、つば部３の下方外周に垂直方向のギザギザを有するローレット７を設けると、筒状蓋８と重畳台１との着脱が容易になる。
【００１９】
なお、上記説明では中央突出軸２は底板１ａと一体に成形した例を示したが、別々に成形したものを組み立ててもよい。
【００２０】
次に、図５は、本発明の記録媒体ディスク包装容器の筒状蓋の平面図を示し、図６は、図５のＡ−Ａ線における断面図を示し、図７は、突起受けの部分拡大図を示す。
【００２１】
円錐台状に形成された筒状蓋８は、その天板９の裏面の中央部には重畳台１の中央突出軸２を受ける凹部１０を有し、かつその下端には突起４と嵌合係止する突起受け１１を有する。突起受け１１は、重畳台１の突起４と同じ個数を突起４と対応する位置に設ける。
【００２２】
図７に示すように、突起受け１１は、垂直切欠部１２と水平切欠部１３とからなり、かつ水平切欠部１３にストッパー１４を備えるものが好ましい。ストッパー１４は、例えば水平切欠部１２の終点をごくわずか下方に切り込み、段差をつけたものでもよい。なお、他の任意の方法でストッパーを設けてもよく、突起受け１１の切欠形状も図７に示すものに限定するものではない。
【００２３】
また、図６に示すように、天板９を筒状蓋８の頂部より低い位置に設け、環状突起部１５を形成すると、この環状突起部１５と前記の環状リブ６Ａとを嵌合させることができ、記録媒体包装容器の積み重ねが容易になる。
【００２４】
なお、上記説明では筒状蓋８が円錐台状の例を示したが、筒状蓋８の上部が円錐台状で下部が円筒状のものであってもよい。
【００２５】
上記構成を有する筒状蓋８と重畳台１とは、次のようにして装着する。先ず、重畳台１と筒状蓋８の軸心とを合わせ、筒状蓋８の下端を重畳台１のつば部３に当接して押し込むと、中央突出軸２の上端部が筒状蓋８の凹部１０に嵌入されると共に突起４が突起受け１１内の垂直切欠部１２に嵌入される。次いで、筒状蓋８をＲ方向に回転すると、突起４が水平切欠部１３に沿って移動し、ストッパー１４に嵌合係止される。
【００２６】
次に、筒状蓋８が装着された記録媒体包装容器は、筒状蓋８を逆Ｒ方向に回転すると、突起４がストッパー１４から抜け、装着時の逆順で筒状蓋８が重畳台１から離脱する。
【００２７】
以上、重畳台１のつば部３の外径が筒状蓋８の内径より小さいもの、すなわちつば部３が筒状蓋８に嵌入する形式であって、つば部３の外側に複数個の突起４を設け、筒状蓋８の下端に突起４を嵌合係止する突起受け１１を設けた記録媒体ディスク包装容器の一例について説明したが、本発明は、次のような実施の態様を包含するものである。
【００２８】
先ず、つば部３が筒状蓋８に嵌入する上記と同じ形式であって、突起と突起受けを逆に設けたもの、すなわち筒状蓋８の下端内側に複数個の突起を設け、つば部３に前記突起を嵌合係止する突起受けを設けた記録媒体ディスク包装容器が挙げられる。
【００２９】
次に、重畳台１のつば部３の外径が筒状蓋８の内径より大きいもの、すなわち筒状蓋８がつば部３に嵌入する上記とは逆の形式であって、つば部３の内側に複数個の突起を設け、筒状蓋８の下端に前記突起を嵌合係止する突起受けを設けた記録媒体ディスク包装容器が挙げられる。
【００３０】
更に、筒状蓋８がつば部３に嵌入する前例と同じ形式であって、突起と突起受けを逆に設けたもの、すなわち筒状蓋８の下端外側に複数個の突起を設け、つば部３に前記突起を嵌合係止する突起受けを設けた記録媒体ディスク包装容器が挙げられる。
【００３１】
そして、これらの実施の態様において、前記したように、底板に上げ底を備えたり、底板に環状リブを備えると共に筒状蓋に環状突起部を備えて積み重ねを容易にするなど種々の態様を適宜組み合わせることができる。
【００３２】
本発明の記録媒体ディスク包装容器は、射出成形による熱可塑性樹脂成形品で形成することができ、全体が透明プラスチック製又は不透明プラスチック製であってもよいが、筒状蓋は内部が見える透明プラスチック製であることがよい。
【００３３】
なお、記録媒体ディスクを本発明の包装容器に収納するに当たって、必要に応じて各層毎にクッションを載置してもよく、また最上段にはディスクのガタツキを防止するため穴開クッションで押さえてもよい。しかし、底板１ａに上げ底５を備えたものは、最下段にクッションを載置する必要がない。
【００３４】
【発明の効果】
本発明の記録媒体ディスク包装容器は、梱包や陳列などの際にデッドスペースを生じることがない極めてコンパクトであり、そのうえ強度が高く、製作費用も低減できる。また、底板に上げ底を備えたものは、光ディスクや磁気ディスクの記録面を傷つけることがない。更に、頂部の環状突起部と底面の環状リブが嵌合するように構成したものは、積み重ねが容易であり、陳列時に転倒しにくい。
【図面の簡単な説明】
【図１】本発明の記録媒体ディスク包装容器の重畳台の一例を示す平面図である。
【図２】本発明の記録媒体ディスク包装容器の重畳台の一例を示す正面図である。
【図３】本発明の記録媒体ディスク包装容器の重畳台の一例を示す底面図である。
【図４】図１のＡ−Ａ線における断面図である。
【図５】本発明の記録媒体ディスク包装容器の筒状蓋の一例をを示す平面図である。
【図６】図５のＡ−Ａ線における断面図である。
【図７】突起受けの部分拡大図である。
【図８】本発明の記録媒体ディスク包装容器の一例を、筒状蓋と重畳台とを離脱させた状態で示す斜視図である。
【図９】従来の記録媒体ディスク包装容器を示す断面図である。
【符号の説明】
１      重畳台
１ａ    底板
２      中央突出軸
３      つば部
４      突起
５      上げ底
６      環状リブ
８      筒状蓋
１１      突起受け
１２      垂直切欠部
１３      水平切欠部
１４      ストッパー
１５      環状突起部
【図１】
0004097818.tif 000002
【図２】
0004097818.tif 000003
【図３】
0004097818.tif 000004
【図４】
0004097818.tif 000005
【図５】
0004097818.tif 000006
【図６】
0004097818.tif 000007
【図７】
0004097818.tif 000008
【図８】
0004097818.tif 000009
【図９】
0004097818.tif 000010